【手続補正書】
【提出日】平成19年9月14日(2007.9.14)
【手続補正１】
【補正対象書類名】明細書
【補正対象項目名】発明の名称
【補正方法】変更
【補正の内容】
【発明の名称】インクジェット装置及び記録方法
【手続補正２】
【補正対象書類名】明細書
【補正対象項目名】特許請求の範囲
【補正方法】変更
【補正の内容】
【特許請求の範囲】
【請求項１】  発熱抵抗素子と、該発熱抵抗素子を被覆する保護膜と、を備えるインクジェットヘッド用基板を用いて、前記発熱抵抗素子を発熱させ前記保護膜を介してインクに熱エネルギーを付与しインクに膜沸騰を発生させ、気泡発生時に生じる圧力によってインクを吐出するインクジェット記録方法であって、前記発熱抵抗素子に印加される駆動信号のパルス幅を制御することで前記保護膜のインクとの接触表面における最高到達温度が５６０℃以下として吐出を行うことを特徴とするインクジェット記録方法。
【請求項２】  前記インクジェットヘッド用基板の温度を測定し、該温度および駆動信号により最高到達温度が５６０℃以下に制御することが出来ないと判断した際に、発熱抵抗素子の駆動を休止することを特徴とする請求項１に記載のインクジェット記録方法。
【請求項３】  前記インクは、キレート試薬を含むことを特徴とする請求項１または２に記載のインクジェット記録方法。
【請求項４】  前記インクは、インク全質量に対して５０質量ｐｐｍ以上２０質量％以下のキレート試薬を含むことを特徴とする請求項３に記載のインクジェット記録方法。
【請求項５】  前記保護膜は複数の層からなり、前記保護膜のうち前記インクに接触する層は、Ｔａを含むアモルファス化合金よりなる耐キャビテーション膜であることを特徴とする請求項１乃至４のいずれかに記載のインクジェット記録方法。
【請求項６】  前記アモルファス化合金は、Ｔａ以外に、Ｆｅ、Ｃｒ、Ｒｅ、ＧｅおよびＮｉから選ばれる１種類以上の金属を含むことを特徴とする請求項５記載のインクジェット記録方法。
【請求項７】  前記アモルファス化合金は、Ｔａ、Ｆｅ、ＣｒおよびＮｉからなり、Ｔａはアモルファス合金の全体に対して３０質量％以下であることを特徴とする請求項６に記載のインクジェット記録方法。
【請求項８】  発熱抵抗素子と、該発熱抵抗素子を被覆する保護膜と、を備えるインクジェットヘッド用基板を用いて、前記発熱抵抗素子を発熱させ前記保護膜を介してインクに熱エネルギーを付与しインクに気泡を発生させ、気泡発生時に生じる圧力によってインクを吐出するインクジェットヘッドを有するインクジェット装置であって、前記発熱抵抗素子に印加される駆動信号のパルス幅を制御することで前記保護膜のインクとの接触表面における最高到達温度を５６０℃以下にするための駆動信号制御手段を有することを特徴とするインクジェット装置。
【請求項９】  前記インクジェットヘッド用基板は、該基板の温度を測定するための温度検出素子を有し、該基板温度および駆動信号により最高到達温度が５６０℃以下に制御することが出来ないと判断した際に、発熱抵抗素子の駆動を休止する請求項８に記載のインクジェット装置。
【請求項１０】  前記インクは、キレート試薬を含むことを特徴とする請求項８または９に記載のインクジェット装置。
【請求項１１】  前記インクは、インク全質量に対して５０質量ｐｐｍ以上２０質量％以下のキレート試薬を含むことを特徴とする請求項１０に記載のインクジェット装置。
【請求項１２】  前記保護膜は、複数の層からなり、前記保護膜のうち前記インクに接触する層は、Ｔａを含むアモルファス化合金よりなる耐キャビテーション膜であることを特徴とする請求項８乃至１１のいずれかに記載のインクジェット装置。
【請求項１３】  前記アモルファス化合金は、Ｔａ以外に、Ｆｅ、Ｃｒ、Ｒｅ、ＧｅおよびＮｉから選ばれる１種類以上の金属を含むことを特徴とする請求項１２に記載のインクジェット装置。
【請求項１４】  前記アモルファス化合金は、Ｔａ、Ｆｅ、ＣｒおよびＮｉからなり、Ｔａはアモルファス合金の全体に対して３０質量％以下であることを特徴とする請求項１３に記載のインクジェット装置。
【手続補正３】
【補正対象書類名】明細書
【補正対象項目名】０００１
【補正方法】変更
【補正の内容】
【０００１】
【発明の属する技術分野】
本発明は、熱エネルギーを用いてインク滴を記録信号に応じてオリフィスから被記録材に吐出させ記録を行うインクジェット装置及びインクジェット記録方法に関する。
【手続補正４】
【補正対象書類名】明細書
【補正対象項目名】０００７
【補正方法】変更
【補正の内容】
【０００７】
この他にも、特開平３−１６００７０号公報にはインク中にオキソ陰イオンを含有させることによりコゲの発生を抑制することが、また特開平８−８０６６４号公報にはインク中にフィチン酸及びまたはその塩を含有させることによりコゲの発生を抑制することが開示されている。
【手続補正５】
【補正対象書類名】明細書
【補正対象項目名】００１９
【補正方法】変更
【補正の内容】
【００１９】
このように本発明は、コゲの析出、吐出安定性及び発熱抵抗素子の耐久性を総合的に解決することができるインクジェット装置及びインクジェット記録方法を提供することを目的とするものである。
【手続補正６】
【補正対象書類名】明細書
【補正対象項目名】００２０
【補正方法】変更
【補正の内容】
【００２０】
【課題を解決するための手段】
上記課題を解決するための本発明のインクジェット記録方法は、発熱抵抗素子と、該発熱抵抗素子を被覆する保護膜と、を備えるインクジェットヘッド用基板を用いて、前記発熱抵抗素子を発熱させ前記保護膜を介してインクに熱エネルギーを付与しインクに膜沸騰を発生させ、気泡発生時に生じる圧力によってインクを吐出するインクジェット記録方法であって、前記発熱抵抗素子に印加される駆動信号のパルス幅を制御することで前記保護膜のインクとの接触表面における最高到達温度が５６０℃以下として吐出を行うことを特徴とする。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】変更
【補正の内容】
【００２３】
また、上記課題を解決するための本発明のインクジェット装置は、発熱抵抗素子と、該発熱抵抗素子を被覆する保護膜と、を備えるインクジェットヘッド用基板を用いて、前記発熱抵抗素子を発熱させ前記保護膜を介してインクに熱エネルギーを付与しインクに気泡を発生させ、気泡発生時に生じる圧力によってインクを吐出するインクジェットヘッドを有するインクジェット装置であって、前記発熱抵抗素子に印加される駆動信号のパルス幅を制御することで前記保護膜のインクとの接触表面における最高到達温度を５６０℃以下にするための駆動信号制御手段を有することを特徴とする。
【手続補正１０】
【補正対象書類名】明細書
【補正対象項目名】００４１
【補正方法】変更
【補正の内容】
【００４１】
（記録ヘッド）
本発明において用いられる記録ヘッドの一例は、基板上に形成された発熱抵抗層と、発熱抵抗層と１対１で対応し駆動させるドライバと、発熱抵抗層および保護膜を含んでなる発熱ヘッドと、発熱ヘッドに接続されたインク流路と、インク流路にインクを供給するインク室とを含んでなる。また、インクを吐出するために設けられたオリフィスと、このオリフィスに連通し、インクを吐出するための熱エネルギーがインクに作用する部分である発熱ヘッドを構成の一部とするインク流路とを有するインクの吐出部と、熱エネルギーを発生する手段としての発熱抵抗層とを含んでなる記録ヘッド用基体を含むものである。